(57)【特許請求の範囲】
【請求項１】
給湯装置筐体と、この給湯装置筐体に設けられた水熱交換器と、外部からこの水熱交換器に給水する水配管に設けられた配管装置等を備えた給湯装置において、
前記配管装置の入口側配管接続部と出口側配管接続部は、この両配管接続部を連通する通水路を設けることにより、前記両配管接続部の中心軸をずらして設けられ、前記通水路にはストレーナが設けられ、
前記入口側配管接続部と前記出口側配管接続部は各々の中心軸が平行になるようにずらされ、前記通水路は前記両中心軸に直交するように設けられ、前記ストレーナは前記通水路に着脱可能に設けられ、
前記ストレーナを前記通水路内に固定するストレーナキャップに、前記通水路からドレンを抜くためのドレン栓が着脱可能に設けられたことを特徴とする給湯装置。
【発明の詳細な説明】
【技術分野】
【０００１】
本発明は給湯装置に係り、特に配管装置を改良した給湯装置に関する。
【背景技術】
【０００２】
近年、給湯装置としてヒートポンプ式給湯装置が多く用いられているが、従来の給湯装置に用いられる配管装置５１は、図７に示すＹ形配管装置、図８に示すＵ形配管装置とも、水の入口側配管接続部５４と出口側配管接続部５５が一直線に配置され、配管装置５１内のストレーナ５７を通水させるために、ストレーナ５７の内部で屈曲させ、さらにストレーナ５７の出口で再度屈曲させているため、流水時の圧力損失が大きい。またストレーナの取出口も水の流れ方向に沿っているため製品形態によっては、メンテナンスに支障をきたす場合があった。また、水熱交換器内のエアあるいは水抜き用のドレン栓は、配管装置とは別個に設けられているので、給湯装置の前面パネルを外さなければ作業ができないなどの問題があった。
【０００３】
また、従来の配管装置は内部で屈曲しているため、製造時内部の切削加工は困難であり、鋳物製造によらなければならず、配管装置内に巣ができ易く、巣より水漏れの可能性もあるため、検査工程が重要で部品不良率も高い問題があった。
【０００４】
なお、直角に分岐する分岐管にストレーナを内装した配管装置が特許文献１に提案されている。
【特許文献１】特開２０００−１０４２９９号公報
【発明の開示】
【発明が解決しようとする課題】
【０００５】
本発明は上述した事情を考慮してなされたもので、流水抵抗が小さく、水熱交換器内のエア抜き、水抜きの際の作業等が容易でストレーナのメンテナンスが容易かつ、安価で小型な配管装置を備えた給湯装置を提供することを目的とする。
【課題を解決するための手段】
【０００６】
上述した目的を達成するため、本発明に係る給湯装置は、給湯装置筐体と、この給湯装置筐体に設けられた水熱交換器と、外部からこの水熱交換器に給水する水配管に設けられた配管装置等を備えた給湯装置において、前記配管装置の入口側配管接続部と出口側配管接続部は、この両配管接続部を連通する通水路を設けることにより、前記両配管接続部の中心軸をずらして設けられ、前記通水路にはストレーナが設けられ、前記入口側配管接続部と前記出口側配管接続部は各々の中心軸が平行になるようにずらされ、前記通水路は前記両中心軸に直交するように設けられ、前記ストレーナは前記通水路に着脱可能に設けられ、前記ストレーナを前記通水路内に固定するストレーナキャップに、前記通水路からドレンを抜くためのドレン栓が着脱可能に設けられたことを特徴とする。
【発明の効果】
【０００７】
本発明に係る配管装置によれば、流水抵抗が小さく、水熱交換器内のエア抜き、水抜きの際の作業等が容易でストレーナのメンテナンスが容易かつ、安価で小型な配管装置を備えた給湯装置を提供することができる。
【発明を実施するための最良の形態】
【０００８】
以下、本発明に係る給湯装置の一実施形態としてのヒートポンプ式給湯装置について添付図面を参照して説明する。
【０００９】
図１は本発明のヒートポンプ式給湯装置の冷凍サイクル系統図、図２は本発明に係る給湯装置の本体カバーを除去して示す斜視図である。
【００１０】
図１に示すように、ヒートポンプ式冷凍サイクル回路Ｈは、本発明に係る水熱交換器を収納した給湯装置１と熱源ユニット２１に構成されている。
【００１１】
この熱源ユニット２１は圧縮機２２と、第１の水熱交換器である給湯用熱交換器２３およびこの給湯用水熱交換器２３と並列に配管された第２の水熱交換器である暖房用熱交換器２４と、電子膨張弁（減圧機構）２５と、送風機２６ａを備えた熱源側熱交換器２６が冷媒配管２７を介して連通されている。圧縮機２２、電子膨張弁２５、熱源側熱交換器２６は熱源ユニット２１の熱源ユニット筐体２１Ａ内に収容され、給湯用熱交換器２３および暖房用熱交換器２４は給湯装置１の給湯装置筐体１Ａ内に収容されている。
【００１２】
給湯用熱交換器２３および暖房用熱交換器２４とも給湯用水配管２８、暖房用水配管２９に接続する水熱交換部を備え、冷凍サイクル回路Hに接続される冷媒熱交換部と有効な熱交換作用をなすように構成されている。
【００１３】
また、給湯用水配管２８、暖房用水配管２９には、給湯用ポンプ３０、暖房用ポンプ３１が設けられており、給湯用ポンプ３０と給湯用熱交換器２３は給湯用水配管２８を介して給湯用タンクユニットを構成する給湯用タンク３２と連通され、暖房用ポンプ３１と暖房用熱交換器２４は暖房用水配管２９を介して暖房用タンクユニットを構成する暖房用タンク３３と連通されている。なお、給湯用タンクユニット３２と暖房用タンクユニット３４でタンクユニット３４が構成されている。
【００１４】
図２に示すように、本発明に係る給湯装置１は、カバー（図示せず）を備えた給湯装置筐体１Ａの上部に給湯用熱交換器２３が収容され、給湯装置筐体１Ａ内下部に設けられた取付板１ａには、上記のように給湯用熱交換器２３に給湯用水配管２８を介して給水する給湯用ポンプ３０が載置され、さらに、暖房用熱交換器２４が載置され、また、この暖房用熱交換器２４に暖房用水配管２９を介して給水する給湯用ポンプ３１が載置されている。なお、図１中、符号３５は四方切換弁であり、符号３６〜３９は開閉弁である。
【００１５】
さらに、図２及び図３に示すように、取付板１ａの下面には、給湯用水配管２８及び暖房用水配管２９に設けられた配管装置２が外部に露出するように取り付けられ、また、配管装置２と反対側（給水出口側）に設けられる水配管ジョイント４０、冷媒配管ジョイント４１が外部に露出するように取り付けられている。
【００１６】
図４及び図５に示すように、配管装置２は配管装置本体３を有し、この配管装置本体３には入口側配管接続部４と出口側配管接続部５と、この両配管接続部４、５を連通する通水路６が設けられており、両配管接続部４、５の中心軸ｃ１、ｃ２をずらして、例えば各々の中心軸ｃ１、ｃ２が平行になるようずらして設けられ、通水路６は両中心軸ｃ１、ｃ２に直交するように設けられている。
【００１７】
従って、入口側配管接続部４及び出口側配管接続部５に接続された給湯用水配管２８及び暖房用水配管２９の給湯用入口側水配管２８ａ及び暖房用入口側水配管２９ａから流入する給水は、直角に流路を変えられて通水路６に流入し、さらに、この通水路６で直角に流路を変えられて給湯用出口側水配管２８ｂ及び暖房用出口側水配管２９ｂから流出するようになっている。
【００１８】
図５及び図６に示すように、通水路６にはゴミ収集手段としてのストレーナ７が着脱可能に収容されている。このストレーナ７は円筒網状をなし、通水路６に収容された状態で、ストレーナキャップ８により固定されている。ストレーナキャップ８は通水路６の端部に設けられたストレーナ取出口９にＯリング１０を介して水密的かつ着脱可能に嵌合され、さらに、ストレーナキャップ８の反嵌合側には通水路６からドレンを抜くためのドレン栓１１が栓用Ｏリング１２を介して着脱可能に螺合されている。
【００１９】
上述のような構造を有する本実施形態に係る給湯装置において、図１及び図５に示すように、給湯用入口側水配管２８ａ及び暖房用入口側水配管２９ａを介して配管装置２に流入する給水は、通水部６に収容されたストレーナ７によって給水に含まれるゴミが除去され、給湯用出口側水配管２８ｂ及び暖房用出口側水配管２９ｂ、給湯用ポンプ３０、暖房用ポンプ３１を介して給湯用熱交換器２３および暖房用熱交換器２４に給水され、加熱される。
【００２０】
このストレーナ７によるゴミ除去過程において、両配管接続部４、５の中心軸ｃ１、ｃ２と直交するように通水路６を設けて、中心軸ｃ１、ｃ２を平行にずらし、通水路６にストレーナ７を収容したので、流水抵抗を最小限にすることができる。
【００２１】
また、長時間使用し、ストレーナ７のメンテナンスを行うときには、両水配管２８、２９と直交するようにストレーナ７が通水部６に収容されているので、両水配管２８、２９が邪魔になることなく、ストレーナ取出口１０からストレーナ７を取り出してメンテナンスを容易に行うことができる。さらに、給湯装置１の据付時、両熱交換器３３、３４のエア抜き、あるいは長期間未使用時、修理等による水抜きの際、配管装置２が筐体外部に露出するように設けられているので、また、ドレン栓１１がストレーナキャップ８に着脱可能に取り付けられているので、エア抜きあるいは水抜き作業が容易であり、また、両配管接続部４、５の中心軸ｃ１、ｃ２をずらし、これに直交するように通水路６を設けたので、構造が簡単になって、鋳造、切削のほかに、鍛造による製造が可能なため内部の巣による水漏れがなく、部品の強度確保ができ、品質の向上を図ることができ、また、コスト低減ができ、コンパクト設計も可能である。
【００２２】
本実施形態に係る給湯装置によれば、流水抵抗が小さく、ス水熱交換器内のエア抜き、水抜きの際の作業等が容易でトレーナのメンテナンスが容易かつ、安価で小型な配管装置を備えた給湯装置が実現される。
【００２３】
なお、上記実施形態では熱源ユニットとしてヒートポンプを用いた例で説明したが、電気あるいは火力を用いたヒータ等を用いるものであってもよい。
【図面の簡単な説明】
【００２４】
【図１】本発明に係る給湯装置を用いたヒートポンプ式冷凍サイクル系統図。
【図２】本発明の一実施形態のヒートポンプ式給湯装置の本体カバーを除去して示す斜視図。
【図３】本発明のヒートポンプ式給湯装置に用いられる配管装置の取り付け状態を示す斜視図。
【図４】本発明のヒートポンプ式給湯装置に用いられる配管装置の斜視図。
【図５】本発明のヒートポンプ式給湯装置に用いられる配管装置の縦断面図。
【図６】本発明のヒートポンプ式給湯装置に用いられる配管装置の分解図。
【図７】従来の配管装置の縦断面図。
【図８】従来の配管装置の縦断面図。
【符号の説明】
【００２５】
１…給湯装置、１Ａ…給湯装置筐体、１ａ…取付板、２…配管装置、３…配管装置本体、４…入口側配管接続部、５…出口側配管接続部、６…通水路、７…ストレーナ、８…ストレーナキャップ、９…ストレーナ取出口、１０…Ｏリング、１１…ドレン栓、１２…栓用Ｏリング、２１…熱源ユニット、２１Ａ…熱源ユニット筐体、２２…圧縮機、２３…給湯用熱交換器、２４…暖房用熱交換器、２６…熱源側熱交換器、２８…給湯用水配管、２８ａ…給湯用入口側水配管、２８ｂ…給湯用出口側水配管、２９…暖房用水配管、２９ａ…暖房用入口側水配管、２９ｂ…暖房用出口側水配管、３０…給湯用ポンプ、３１…暖房用ポンプ。
【図１】
0004421525.tif 000002
【図２】
0004421525.tif 000003
【図３】
0004421525.tif 000004
【図４】
0004421525.tif 000005
【図５】
0004421525.tif 000006
【図６】
0004421525.tif 000007
【図７】
0004421525.tif 000008
【図８】
0004421525.tif 000009